(57)【特許請求の範囲】
【請求項１】
ユーザをセル中心ユーザ・グループとセル縁端ユーザ・グループにグループ化するステップと、
重ね合わせ符号化に基づいてセル中心ユーザ・グループ多重化を実行するステップと、
セル縁端ユーザ・グループに関して固定ビーム・グリッドＧｏＢに基づく協調ビーム形成動作を実行するステップとを備え、
ＧｏＢに基づく協調ビーム形成ステップは、
ビーム・クラスタを事前定義するステップと、
セル縁端ユーザにサービスを提供するターゲット・セクタを決定するステップと、
ターゲット・セクタのセクタ・クラスタに応じてターゲット・セクタ内のセル縁端ＭＢＭＳユーザのすべてを分類し、セクタ・クラスタに対応するセル縁端ＭＢＭＳユーザ・クラスを形成するステップと、
各セル縁端ＭＢＭＳユーザ・クラスに関して、
セル縁端ＭＢＭＳユーザ・クラスの中のセル縁端ＭＢＭＳユーザのすべてをセットに分割し、各セル縁端ＭＢＭＳユーザ・セットは、同様のＰＭＩ測定値を有するステップと、
ターゲット・セクタが、前記セル縁端ＭＢＭＳユーザ・クラスに対応するセクタ・クラスタの中の各セクタに協調要求を送信し、前記協調要求は、いずれのセル縁端ＭＢＭＳユーザ・セットに、このセクタ・クラスタの中の１つのセクタが協調セクタとしてサービスを提供すべきかという情報を備えるステップと、
ターゲット・セクタが、協調ネゴシエーションが成功した後、伝送される必要がある共通データを各協調セクタに転送するステップと、
すべての協調セクタが、ＧｏＢに基づくビーム形成動作を使用して、このセル縁端ＭＢＭＳユーザ・クラスにデータを伝送するステップとを備えることを特徴とする、協調ビーム形成方法。
【請求項２】
測定レポートに基づいてユーザ・グループをセル中心ユーザ・グループとセル縁端ユーザ・グループにグループ化するステップを特徴とする請求項１に記載の協調ビーム形成方法。
【請求項３】
前記測定レポートは、基準信号受信電力ＲＳＲＰまたは基準信号受信品質ＲＳＲＱであることを特徴とする請求項２に記載の協調ビーム形成方法。
【請求項４】
前記測定レポートの中のＲＳＲＰ測定値またはＲＳＲＱ測定値が所定のしきい値より低い場合、前記ユーザは、セル縁端ユーザ・グループに入れられ、そうではない場合、前記ユーザは、中心ユーザ・グループに入れられることを特徴とする請求項３に記載の協調ビーム形成方法。
【請求項５】
前記重ね合わせ符号化方法は、電力割当て重ね合わせ符号化、コンステレーション・ローテーション重ね合わせ符号化、伝送レート重ね合わせ符号化、インタリーブ重ね合わせ符号化、および異なるビットレートの重ね合わせ符号化であることを特徴とする請求項１乃至４のいずれか１項に記載の協調ビーム形成方法。
【請求項６】
ターゲット・セクタ、および前記ターゲット・セクタが位置するセクタ・クラスタの中のセクタにおける共通コードブックを事前定義することによってビーム・クラスタを事前定義するステップを特徴とする請求項１に記載のビーム形成方法。
【請求項７】
セクタ・クラスタに対応するセル縁端ＭＢＭＳユーザ・クラスは、他のセクタ・クラスタと比べて、前記セクタ・クラスタにより近いことを特徴とする請求項１に記載のビーム形成方法。
【請求項８】
すべての縁端ＭＢＭＳユーザは、ターゲット・セクタ、および前記ターゲット・セクタのセクタ・クラスタの中のセクタのすべてに対応するＰＭＩ測定値を同時に測定して、前記縁端ＭＢＭＳユーザの最適のＰＭＩを獲得し、さらに前記縁端ＭＢＭＳユーザは、前記最適なＰＭＩをターゲット・セクタにフィードバックすることを特徴とする請求項１に記載のビーム形成方法。
【請求項９】
長期ＳＩＮＲ計算に基づいて前記最適なＰＭＩを獲得するステップを特徴とする請求項８に記載のビーム形成方法。
【請求項１０】
前記協調要求は、最終協調中に使用されるＰＭＩ値を前記協調セクタに示す、ＰＭＩ値適用の情報をさらに備えることを特徴とする請求項１に記載のビーム形成方法。
【請求項１１】
ターゲット・セクタは、伝送される必要がある共通データを、基地局間のＸ２インタフェースを介して各協調セクタに転送することを特徴とする請求項１に記載の協調ビーム形成方法。
【請求項１２】
ビーム・クラスタを事前定義する手段と、
セル縁端ユーザにサービスを提供するターゲット・セクタを決定するための、セクタ・サービスを決定する手段と、
ターゲット・セクタのセクタ・クラスタに応じてターゲット・セクタ内のセル縁端ＭＢＭＳユーザのすべてを分類し、さらにセクタ・クラスタに対応するセル縁端ＭＢＭＳユーザ・クラスを形成するための、セクタ・クラスタを分類する手段と、
セル縁端ＭＢＭＳユーザ・クラスの中のセル縁端ＭＢＭＳユーザのすべてをセットに分割するための、各セル縁端ＭＢＭＳユーザ・セットが同様のＰＭＩ測定値を有する、セル縁端ＭＢＭＳユーザ・セットを分割する手段と、
ターゲット・セクタが、前記セル縁端ＭＢＭＳユーザ・クラスに対応するセクタ・クラスタの中の各セクタに協調要求を送信し、前記協調要求は、いずれのセル縁端ＭＢＭＳユーザ・セットに、このセクタ・クラスタの中の１つのセクタが協調セクタとしてサービスを提供すべきかという情報を備える、協調要求を送信する手段と、
ターゲット・セクタが、協調ネゴシエーションが成功した後、伝送される必要がある共通データを各協調セクタに転送する、共通データを転送する手段と、
すべての協調セクタが、ＧｏＢに基づくビーム形成動作を使用して、このセル縁端ＭＢＭＳユーザ・クラスにデータを伝送する、協調セクタのデータを伝送する手段とを備える協調ビーム形成デバイス。
【請求項１３】
前記ビーム・クラスタを事前定義する手段は、ターゲット・セクタ、および前記ターゲット・セクタが位置するセクタ・クラスタの中のセクタにおける共通コードブックを事前定義することによってビーム・クラスタを事前定義することを特徴とする請求項１２に記載の協調ビーム形成デバイス。
【請求項１４】
ユーザをセル中心ユーザ・グループとセル縁端ユーザ・グループにグループ化するためのグループ化ユニットと、
重ね合わせ符号化に基づいてセル中心ユーザ・グループ多重化を実行するための、セル中心ユーザのための処理ユニットと、
請求項１２乃至１３のいずれか１項に記載の協調ビーム形成デバイスとを備える基地局。
【発明の詳細な説明】
【技術分野】
【０００１】
本発明は、マルチメディア・ブロードキャスト・マルチキャスト分野に関し、より詳細には、ＭＢＭＳ（マルチメディア・ブロードキャスト・マルチキャスト・サービス）のビームＧｏＢの固定グリッドに基づく協調ビーム形成方法、協調ビーム形成装置、および協調ビーム形成基地局に関する。
【背景技術】
【０００２】
ＢＦ（ビーム形成）の概念は、スマート・アンテナ（ＳＡ）に由来する。ＳＡの基本的原理は、半波長距離アンテナ・アレイのチャネル・インパルス応答の相関を使用する送信機におけるプロセスを介して指向性ビームを形成して、受信機におけるＳＮＲを大きくし、システムのカバレッジエリアを拡大することである。従来のＢＦは、通常、単一の信号ストリームに作用している、つまり、送信信号に重み係数が掛けられ、その後、複数のアンテナを介して伝送される。通常、そのような利得は、アレイ利得と呼ばれる。次に、ＢＦの詳細な意味が、ＭＩＭＯシステムの継続的な、より深い研究とともに拡大し、ＭＩＭＯシステムにおいて、アンテナの距離は、半波長に限定されず、４波長／１０波長などであることが可能である。これらの事例において、チャネル・マトリックスの相関は、概ね弱まり、この非相関がダイバーシティ利得をもたらすことが可能であり、通常の方法は、ＳＴＢＣ（時空間ブロック符号）であり、この非相関は、多重化利得をもたらすことも可能であり、通常の方法は、ｖブラストである。この意味で、ＢＦは、ＭＩＭＯのプリコーディングと同一の意味を有し、つまり、そのようなＢＦは、プリコーディングの実施の仕方と見なされることが可能である。特性根ＢＦなどの一般的なＢＦ動作の仕方、その通常の意味は、ＢＦベクトルが、チャネルの二次の静的情報（すなわち、チャネルの相関マトリックス）を使用する特異値分解（ＳＶＤ）を介して算出されることである。単一のストリームが送信される場合、最大特性値に対応する特性ベクトルがＢＦベクトルとして選択され、複数のストリームが送信される場合、特性ベクトルは、サイズの順に応じて順次に選択される。ＭＵ（複数ユーザ）ＭＩＭＯの場合、ＢＦは、ＳＤＭＡ（空間分割多元接続）と等しいことが可能であり、ＢＦマトリックスまたはプリコーディング・マトリックスは、単一のユーザのＳＩＮＲを最大化する必要があり、さらに可能な限り、ユーザ間の干渉を小さくし、さらに一般的なアルゴリズムは、ブロック対角（ＢＤ）ゼロ強制アルゴリズムなどである。
【０００３】
３ＧＰＰ  ＬＴＥのＲ８において、ＭＢＭＳは、通常、２つのシナリオ、つまり、単一セル（ＳＣ）伝送およびマルチメディア・ブロードキャスト単一周波数ネットワーク（ＭＢＳＦＮ）伝送によって展開されてきた。ＬＴＥのＬＴＥ−Ａ（ＬＴＥ−Ａｄｖａｎｃｅｄ）への進化とともに、さらに強化されたＭＢＭＳが、ＬＴＥ−Ａ要件文書において、すなわち、２００８年６月３０日〜７月４日に開催された前回のワルシャワ会議の結論によるＴＲ３６．８１４の枠組みにおいて要求されている。
【０００４】
ＳＣ  ＭＢＭＳ伝送の場合、いくつかの高度な物理層技術、例えば、ＨＡＲＱ、リンク適応、およびマルチアンテナ技術などが、端末装置（ユーザ機器ＵＥ）から基地局（ｅＮＢ）への無線インタフェースを介するいくつかのフィードバックを使用して、ＵＥの受信パフォーマンスを向上させるのに使用されることが可能である。改良された技術の１つとして、出願番号ＰＣＴ／ＣＮ２００８／００１４４３を有する発明のＰＣＴ特許出願において「ハイブリッド・スキーム」が提案されており、この「ハイブリッド・スキーム」は、開ループ送信ダイバーシティ、着信方向（ＤｏＡ）ベースのビーム形成、およびＨＡＲＱの組合せと見なされることが可能である。別の典型的な例が、出願番号ＰＣＴ／ＣＮ２００８／００１４４１を有する発明のＰＣＴ特許出願によって提案される、ＳＣ  ＭＢＭＳのためのＧｏＢ（ビームのグリッド）に基づくビーム形成動作を実施することである。
【０００５】
ＳＣ  ＭＢＭＳに関する２種類の既存のスキーム、つまり、開ループ送信ダイバーシティおよびマクシミン・ビーム形成と比べて、出願番号ＰＣＴ／ＣＮ２００８／００１４４１およびＰＣＴ／ＣＮ２００８／００１４４３を有する発明のＰＣＴ特許出願における強化されたアルゴリズムによって明白なパフォーマンス向上が得られているものの、主に、ＭＢＭＳユーザのすべてが、物理リソースに対して実行されるいずれの動作も、ＭＢＭＳ受信側ユーザのすべてに同期で作用しているようにするように、同一の物理時間周波数リソースを共有するという理由で、もたらされるパフォーマンス向上は、依然として、限られる。ユーザの分布のランダムな性質を理由として、マクシミン・ビーム形成などの技術が使用される場合、主ビームは、最悪のユーザに向けられるが、複数の他のユーザは、多分、主ビームのサイドローブに位置している可能性がある。この点が、図１および図２でさらに説明されることが可能である。図１は、単一セルＭＢＭＳ伝送モデルの概略図を示す。関心対象のＭＢＭＳユーザのすべてが、図１に示される、共有される物理時間周波数リソース上でＭＢＭＳサービスを受け、このため、いずれの動作もすべてのＭＢＭＳユーザに影響を与える。出願番号ＰＣＴ／ＣＮ２００８／００１４４１およびＰＣＴ／ＣＮ２００８／００１４４３を有する発明の出願における２つの強化されたアルゴリズムの中核は、ビーム形成のスマートな使用である。ｅＮＢにおける４つの送信アンテナ、および８つの送信アンテナの下における正規化された平均ビーム・パターンが図２に示される。図２から、主ビーム・パターンは、アンテナ数の増加とともに、より狭くなることが明らかである。前述の狭いビームが、一部のユーザまたはユーザ・グループに向けられるように使用される場合はいつでも、他のユーザまたはユーザ・グループが、主ビームのサイドローブに位置していて、セル内のユーザの分布の散らばり、すなわち、ランダムな性質のため、パフォーマンス損失を被る可能性がある。
【０００６】
前述の分析の結果、パフォーマンス向上は、依然として、限られ、より高度な技術が調査される必要がある。
【先行技術文献】
【特許文献】
【０００７】
【特許文献１】国際出願第ＰＣＴ／ＣＮ２００８／００１４４３号
【特許文献２】国際出願第ＰＣＴ／ＣＮ２００８／００１４４１号
【非特許文献】
【０００８】
【非特許文献１】ＴＲ３６．８１４、ワルシャワ会議、２００８年６月３０日〜７月４日
【発明の概要】
【発明が解決しようとする課題】
【０００９】
本発明において、ＳＣ  ＭＢＭＳに関するさらなるパフォーマンス向上のための新たな方法、すなわち、単一セルＭＢＭＳの受信パフォーマンスをさらに向上させることが可能な、固定ビーム・グリッドＧｏＢに基づく協調ビーム形成を実行することが提案される。
【課題を解決するための手段】
【００１０】
本発明の第１の態様によれば、協調ビーム形成方法が提案され、この方法は、以下のステップ、すなわち、ユーザをセル中心ユーザ・グループとセル縁端ユーザ・グループにグループ化するステップと、重ね合わせ符号化に基づいてセル中心ユーザ・グループ多重化を実行するステップと、セル縁端ユーザ・グループに関して固定ビーム・グリッドＧｏＢに基づく協調ビーム形成動作を実行するステップとを備える。
【００１１】
好ましくは、ユーザ・グループを、測定レポートに基づいてセル中心ユーザ・グループとセル縁端ユーザ・グループにグループ化すること。
【００１２】
好ましくは、測定レポートは、基準信号受信電力ＲＳＲＰまたは基準信号受信品質ＲＳＲＱである。
【００１３】
好ましくは、測定レポートの中のＲＳＲＰ測定値またはＲＳＲＱ測定値が所定のしきい値より低い場合、ユーザは、セル縁端ユーザ・グループに入れられ、そうではない場合、ユーザは、中心ユーザ・グループに入れられる。
【００１４】
好ましくは、重ね合わせ符号化法は、電力割当て重ね合わせ符号化、コンステレーション・ローテーション重ね合わせ符号化、伝送レート重ね合わせ符号化、インタリーブ重ね合わせ符号化、および異なるビットレートの重ね合わせ符号化である。
【００１５】
好ましくは、ＧｏＢに基づく協調ビーム形成ステップは、以下を備える。すなわち、
ビーム・クラスタを事前定義すること、
セル縁端ユーザにサービスを提供するターゲット・セクタを決定すること、
ターゲット・セクタのセクタ・クラスタに応じてターゲット・セクタ内のセル縁端ＭＢＭＳユーザのすべてを分類して、セクタ・クラスタに対応するセル縁端ＭＢＭＳユーザを形成すること、
各セル縁端ＭＢＭＳユーザ・クラスに関して、
セル縁端ＭＢＭＳユーザ・クラスの中のセル縁端ＭＢＭＳユーザのすべてをセットに分割し、各セル縁端ＭＢＭＳユーザ・セットは、同様のＰＭＩ測定値を有すること、
ターゲット・セクタが、セル縁端ＭＢＭＳユーザ・クラスに対応するセクタ・クラスタの中の各セクタに協調要求を送信し、協調要求は、いずれのセル縁端ＭＢＭＳユーザ・セットに、このセクタ・クラスタの中の１つのセクタが協調セクタとしてサービスを提供すべきかという情報を備えること、
ターゲット・セクタが、協調ネゴシエーションが成功した後、伝送される必要がある共通データを各協調セクタに転送すること、
すべての協調セクタが、ＧｏＢに基づくビーム形成動作を使用して、このセル縁端ＭＢＭＳユーザ・クラスにデータを伝送すること。
【００１６】
好ましくは、ターゲット・セクタ、およびターゲット・セクタが位置するセクタ・クラスタの中のセクタにおける共通コードブックを事前定義することによってビーム・クラスタを事前定義すること。
【００１７】
好ましくは、或るセクタ・クラスタに対応するセル縁端ＭＢＭＳユーザ・クラスは、他のセクタ・クラスタより、そのセクタ・クラスタに近い。
【００１８】
好ましくは、すべての縁端ＭＢＭＳユーザは、ターゲット・セクタ、およびターゲット・セクタのセクタ・クラスタの中のセクタのすべてに対応するＰＭＩ測定値を同時に測定して、ＭＢＭＳユーザの最適のＰＭＩを獲得し、さらに縁端ＭＢＭＳユーザは、その最適なＰＭＩをターゲット・セクタにフィードバックする。
【００１９】
好ましくは、長期ＳＩＮＲ計算に基づいて最適なＰＭＩを獲得すること。
【００２０】
好ましくは、協調要求は、最終協調中に使用されるＰＭＩ値を協調セクタに示す、ＰＭＩ値適用の情報をさらに備える。
【００２１】
好ましくは、ターゲット・セクタは、伝送される必要がある共通データを、基地局間のＸ２インタフェースを介して各協調セクタに転送する。
【００２２】
本発明の別の態様によれば、協調ビーム形成デバイスが提案され、このデバイスは、ビーム・クラスタを事前定義するための手段と、セル縁端ユーザにサービスを提供するターゲット・セクタを決定するための、セクタ・サービスを決定するための手段と、ターゲット・セクタのセクタ・クラスタに応じてターゲット・セクタ内のセル縁端ＭＢＭＳユーザのすべてを分類し、さらにセクタ・クラスタに対応するセル縁端ＭＢＭＳユーザ・クラスを形成するための、セクタ・クラスタを分類するための手段と、セル縁端ＭＢＭＳユーザ・クラスの中のセル縁端ＭＢＭＳユーザのすべてをセットに分割するための、各セル縁端ＭＢＭＳユーザ・セットが同様のＰＭＩ測定値を有する、セル縁端ＭＢＭＳユーザ・セットを分割するための手段と、ターゲット・セクタが、セル縁端ＭＢＭＳユーザ・クラスに対応するセクタ・クラスタの中の各セクタに協調要求を送信し、協調要求は、いずれのセル縁端ＭＢＭＳユーザ・セットに、このセクタ・クラスタの中の１つのセクタが協調セクタとしてサービスを提供すべきかという情報を備える、協調要求を送信するための手段と、ターゲット・セクタが、協調ネゴシエーションが成功した後、伝送される必要がある共通データを各協調セクタに転送する、共通データを転送するための手段と、すべての協調セクタが、ＧｏＢに基づくビーム形成動作を使用して、このセル縁端ＭＢＭＳユーザ・クラスにデータを伝送する、協調セクタのデータ伝送のための手段とを備える。
【００２３】
好ましくは、ビーム・クラスタを事前定義するための手段は、ターゲット・セクタ、およびターゲット・セクタが位置するセクタ・クラスタの中のセクタにおける共通コードブックを事前定義することによってビーム・クラスタを事前定義する。
【００２４】
好ましくは、或るセクタ・クラスタに対応するセル縁端ＭＢＭＳユーザ・クラスが、他のセクタ・クラスタより、そのセクタ・クラスタに近くなるようにターゲット・セクタのセクタ・クラスタを決定すること。
【００２５】
好ましくは、すべての縁端ＭＢＭＳユーザは、セクタ・クラスタを分類するための手段を介して、ターゲット・セクタ、およびターゲット・セクタのセクタ・クラスタの中のセクタのすべてに対応するＰＭＩ測定値を同時に測定して、ＭＢＭＳユーザの最適のＰＭＩを獲得し、さらに縁端ＭＢＭＳユーザが、その最適なＰＭＩをターゲット・セクタにフィードバックする。
【００２６】
好ましくは、セクタ・クラスタを分類するための手段は、長期ＳＩＮＲ計算に基づいて最適のＰＭＩを獲得する。
【００２７】
好ましくは、協調要求を送信するための手段によって送信される協調要求は、最終協調中に使用されるＰＭＩ値を協調セクタに示す、ＰＭＩ値適用の情報をさらに備える。
【００２８】
好ましくは、ターゲット・セクタは、伝送される必要がある共通データを、基地局間のＸ２インタフェースを介して各協調セクタに転送する。
【００２９】
本発明の実施形態によれば、ユーザをセル中心ユーザ・グループとセル縁端ユーザ・グループにグループ化するためのグループ化ユニットと、重ね合わせ符号化に基づいてセル中心ユーザ・グループ多重化を実行するための、セル中心ユーザのための処理ユニットと、前述した協調ビーム形成デバイスとを備える基地局が提案される。
【発明の効果】
【００３０】
従来技術と比べて、本発明の有益な効果は、以下のとおりである。すなわち、
１）ＭＢＭＳユーザ・グループのすべてが共通の物理リソース上で同一のデータを受信するので、セル縁端ＭＢＭＳユーザｍ−ｅのすべてが純粋なセル縁端ユニキャスト・ユーザと見なされることが可能である。したがって、これら２つの協調機構は、本質的な違いを有さない。
２）したがって、ネットワーク／協調ＭＩＭＯのためのいくつかの協調機構が、協調ビーム形成動作、例えば、協調セクタにおける物理リソース協調、協調のための基準信号定義などのために有利である。
３）しかし、協調ビーム形成は、それでも、いくつかの独特の特徴、例えば、ＰＭＩ（プリコーディング・マトリックス・インデックス）に基づいてフィードバックされるユーザ・グループ化などを有する。
【００３１】
特に、本発明による有益な効果は、以下のとおり詳細に説明される。すなわち、
ｉ）例えば、異なるＭＢＭＳユーザ・グループが、サブフレーム・レベルに基づいて異なる物理リソース上にマップされ、この異なる物理リソースは、ＭＢＭＳユーザのすべてが同一のリソースを共有する前のスキームとは異なる。したがって、異なるユーザ・グループに対する異なる動作が可能になり、大幅なパフォーマンス向上が予期される。
ｉｉ）セル中心ユーザに関して、それらのユーザのより高いＳＩＮＲのため、重ね合わせ符号化が使用されることが可能であり、セル縁端ユーザ（すなわち、ｍ−ｅ）に関して、ネットワーク／協調ＭＩＭＯ機構が適用されることが可能であり、つまり、ＧｏＢに基づく協調ビーム形成が使用されることが可能である。
ｉｉｉ）セル縁端ユニキャスト・ユーザに関して、このスキームをサポートするシグナリング・オーバーヘッドは、ネットワーク／協調ＭＩＭＯと同様である。
【００３２】
以下の図面を参照する限定的でない実施形態の詳細な説明により、本発明の以上、およびその他の目的、特徴、および利点が明白となろう。
【図面の簡単な説明】
【００３３】
【図１】単一セルＭＢＭＳ伝送モデルを示す概略図である。
【図２】ｅＮＢにおける４送信アンテナおよび８送信アンテナの下で正規化された平均ビーム・パターンを示す図である。
【図３】本発明の実施形態による協調ビーム形成方法を使用するセル・トポロジを示す図である。
【図４】本発明の実施形態によるユーザ・グループ化を示す概略図である。
【図５】セル中心ユーザ（ｕ−ｃおよびｍ−ｃ）に関する重ね合わせ符号化を示す図である。
【図６】セル縁端ユーザ（ｍ−ｅ）のＧｏＢに基づく協調ビーム形成を示す概略図である。
【図７】本発明の実施形態による協調ビーム形成方法を示す流れ図である。
【図８】ＧｏＢに基づく協調ビーム形成動作の詳細なステップを示す図である。
【図９】本発明の実施形態による協調ビーム形成デバイスを示す図である。
【図１０】本発明の実施形態による基地局構造を示す図である。
【発明を実施するための形態】
【００３４】
以降、本発明は、これらの図面を参照して説明される。以下の説明において、いくつかの詳細な実施形態が、説明の目的でのみ使用され、これらの実施形態は、全く本発明の限定としてではなく、単に例として理解されるべきである。本発明の曖昧な理解を生じさせる可能性がある場合、従来の構造または構成は省略される。
【００３５】
本発明による概念を概説する前に、最初に、ユーザのすべて（ユニキャスト＋ＭＢＭＳ）が以下の４種類に分類される。すなわち、（１）ｅＮＢ近くのユニキャストＵＥ、便宜上、この種類のユーザは、「ｕ−ｃ」と表される、（２）ｅＮＢ近くのＳＣ  ＭＢＭＳ  ＵＥ、便宜上、この種類のユーザは、「ｍ−ｃ」と表される、（３）セル縁端におけるユニキャストＵＥ、便宜上、この種類のユーザは、「ｕ−ｅ」と表される、（４）セル縁端におけるＳＣ  ＭＢＭＳ  ＵＥ、便宜上、この種類のユーザは、「ｍ−ｅ」と表される。
【００３６】
ｕ−ｃユーザとｍ−ｃユーザは、同一のユーザであることが可能であるが、理解の都合上、これらのユーザは、異なるユーザとして想定されることが可能であり、このことは、ｕ−ｅとｍ−ｅにも適し、ｕ−ｃとｕ−ｅに関して、異なるデータがこれらのユーザに伝送されることは明白であるが、ｍ−ｃとｍ−ｅに関して、同一のデータがこれらのユーザに伝送され、この場合、３種類のユーザ、つまり、ｕ−ｃユーザ、ｍ−ｃユーザ、およびｍ−ｅユーザだけが考慮されることに留意されたい。ｕ−ｅユーザに関しては、ネットワーク／協調ＭＩＭＯなどの、説明されている他のホット・スポット技術が使用されることが可能である。
【００３７】
本発明の概念の重要なポイントは、以下のとおりである。すなわち、ＭＢＭＳユーザのすべてが、サブフレーム・レベルに基づいて、同一のリソースを共有する現行のスキームとは異なり、本発明では、異なるＭＢＭＳユーザ・グループは、異なるユーザ・グループの動作が可能になり、さらに大幅なパフォーマンス向上が予期されるように、異なる物理リソース上にマップされることである。
【００３８】
本発明の実施形態による方法は、以下の重要なステップを備える。すなわち、
ステップ１。ユーザ・グループ化をどのように実施するか。ｕ−ｃユーザまたはｍ−ｃ／ｍ−ｅユーザに関して、サービングｅＮＢが、測定レポート、例えば、ＲＳＲＰ（基準信号受信電力）および／またはＲＳＲＱ（基準信号受信品質）に基づいて、ユーザを異なるユーザ・グループに分類することが可能である。つまり、測定値（平均ＳＩＮＲ、ＲＳＲＱなどの）が所定のしきい値より低い場合、ユーザは、セル縁端ユーザ・グループに入れられ、そうではない場合、ユーザは、中心ユーザ・グループに入れられる。この所定のしきい値は、セル全体内のＭＢＭＳユーザ数に応じて、サービングｅＮＢによって動的に、または半静的に調整されることが可能である。本発明によれば、２種類のユーザ・グループ、つまり、中心ユーザ・グループおよびセル縁端ユーザ・グループだけが考慮される。
ステップ２。中心ユーザ・グループ（ｕ−ｃ＋ｍ−ｃ）をどのように操作するか：中心ユーザ・グループは、ｍ−ｃユーザの他にｕ−ｃユーザをさらに備える。この種類のユーザ・グループに関して、ｍ−ｃユーザとｕ−ｃユーザはともに、同一の物理リソースを共有する。つまり、中心ユーザ・グループは、より高いＳＩＮＲを有するので、ｕ−ｃユーザとｍ−ｃユーザの間の適切な電力割当てまたはコンステレーション・ローテーションを介する重ね合わせ符号化が、両方の種類のユーザを多重化するのに使用されることが可能である。
ステップ３。セル縁端ユーザ・グループ（ｍ−ｅ）をどのように操作するか：セル縁端ユーザ・グループのみがｍ−ｅユーザを備える。この種類のユーザ・グループに関して、セル縁端ユニキャスト・ユーザに関するネットワーク／協調ＭＩＭＯに類似したＧｏＢに基づく協調ビーム形成が規定されることが可能である。いくつかのセルの間の協調の存在のため、協調させられるセルの間の共通物理リソースが展開されることが可能である。現在まで、必要とされる共通物理リソースをどのように構成すべきかは、依然、未解決の問題であるが、ユニキャストに関するネットワーク／協調ＭＩＭＯに類似した機構が、この場合、再使用されることが可能である。すべてのＭＢＭＳユーザｍ−ｅが、共通物理リソース上で同一の伝送データを受信するので、すべてのＭＢＭＳユーザｍ−ｅは、理解を簡単にするため、１名のセル縁端ユニキャスト・ユーザと見なされてもよい。その結果、ｍ−ｅユーザに関するＧｏＢに基づく協調ビーム形成動作は、セル縁端ユニキャスト・ユーザに関する説明されるＣｏＭＰ（協調マルチポート）ＭＩＭＯ技術の下における特性と類似した特性を有し、したがって、本発明の方法によるＧｏＢベースの協調ビーム形成が提案されることが可能である。
【００３９】
本発明によれば、同一の物理リソースを共有するその既存のＳＣ  ＭＢＭＳスキームとは異なり、ユーザ・グループが、この場合、考慮され、異なるユーザ・グループが、異なるリソース上にマップされ、このため、異なるユーザ・グループに対して異なる動作が可能である。セル中心ユーザ、つまり、ｍ−ｃユーザおよびｕ−ｃユーザに関して、それらのユーザの、より高いＳＩＮＲのため、重ね合わせ符号化が使用されることが可能である。それらのセル縁端ユーザ、つまり、ｍ−ｅに関して、ネットワーク／協調ＭＩＭＯ機構に類似した、ＧｏＢに基づく協調ビーム形成が使用されることが可能である。
【００４０】
図３は、セル・トポロジを示す。図３では、簡明のため、中心セルおよび最初の段の隣接セルだけが考慮される。図３に示されるとおり、セル１が中心セルであり、セル２乃至７が最初の段の隣接セルである、セル１乃至７が例示される。各セルは、３つのセクタを有する。この場合、ＳＣ  ＭＢＭＳ伝送は、隣接干渉調整を伴う／伴わない単一セクタ伝送を意味する。
【００４１】
ユーザ・グループ化が図４に示される。この場合、中心セル１のセクタ１−２が、我々の関心対象のターゲット・セクタである。ユーザのすべて（つまり、ｕ−ｃ、ｍ−ｃ／ｍ−ｅ）が、図４に示されるとおり、ＲＳＲＰおよび／またはＲＳＲＱなどの測定レポート、ならびに所定のしきい値に基づいて、２つの種類に分類されることが可能である。１つの種類は、セル中心ユーザ、つまり、破線内のｕ−ｃユーザおよびｍ−ｃユーザである。別の種類がセル縁端ユーザ、つまり、破線の外側のｍ−ｅユーザである。ユーザ・グループ化の後、異なるユーザ・グループに対する異なる動作が可能になる。
【００４２】
（中心ユーザ・グループ（ｕ−ｃ＋ｍ−ｃ）に対する動作）
中心ユーザ（ｕ−ｃ＋ｍ−ｃ）に関する重ね合わせ符号化が図５に示される。この場合、３名の中心ユニキャスト・ユーザ、および３名のＭＢＭＳユーザが、それぞれ、存在するものと想定する。中心ユニキャスト・ユーザおよびＭＢＭＳユーザの数はランダムである。図５から、ｕ−ｃユーザとｍ−ｃユーザはともに、重ね合わせ符号化を介して同一の物理リソースを共有することを見て取ることが可能である。重ね合わせ符号化動作に関して、２つの典型的なアルゴリズム、例えば、ｕ−ｃとｍ−ｃの間の適切な電力割当てまたはコンステレーション・ローテーションが、両方の種類のユーザを多重化するのに使用されることが可能である。スケジューリング期間中、すべての中心ユニキャスト・ユーザは、ＰＦ（比例公平）アルゴリズムまたはＲＲ（ラウンド・ロビン）アルゴリズムを使用してスケジュールされることが可能であるが、ＭＢＭＳに関する時間間隔パラメータＴＭは、ＭＢＭＳコンテンツの量、および構成されたＭＳＣ値によって決定されることが可能である。
【００４３】
（セル縁端ユーザ・グループ（ｍ−ｅ）に対する動作）
セル縁端ユーザ（ｍ−ｅ）に関するＧｏＢに基づく協調ビーム形成が、図６に示される。一般性を失うことなく、この場合、８名のセル縁端ＭＢＭＳユーザ、つまり、ｍ−ｅ１乃至ｍ−ｅ８が存在するものと想定する。
【００４４】
協調ビーム形成が導入される前、通信システムは、以下の状態にある。すなわち、
１）セル１のセクタ１−２が関心対象のターゲット・セクタであり、このセクタは、６つの直接の隣接セクタ、つまり、１−１、３−３、２−１、２−３、７−１、および１−３を有し、
２）事前構成の仕方を使用することによって、これらの６つの直接の隣接セクタは、図６における２つのセクタ・クラスタ、つまり、セクタ１−１、セクタ３−３、およびセクタ２−１を含む左斜線で表されるセクタ・クラスタａと、セクタ２−３、セクタ７−１、およびセクタ１−３を含む右斜線で表されるクラスタｂに分割され、
３）ターゲット・セクタが変更されると、直接の隣接セクタも変わり、このため、両方のクラスタが再定義され、
４）それらすべてのセル縁端ＭＢＭＳユーザ（つまり、ｍ−ｅ１乃至ｍ−ｅ８）が、クラスタｂと比べてクラスタａにより近い場合、協調は、ターゲット・セクタ１−２とクラスタａ内のセクタの間で実行される。それらすべてのセル縁端ＭＢＭＳユーザが、クラスタａと比べてクラスタｂにより近い場合、協調は、ターゲット・セクタ１−２とクラスタｂ内のセクタの間で実行される。これら２つのクラスタがともにセル縁端ユーザを有する場合、協調は、ターゲット・セクタ１−２と、６つの直接の隣接セクタ（クラスタａおよびクラスタｂにそれぞれ属する）のすべての間で実行される。セクタ・クラスタを定義することの利点は、特に、セル縁端ＭＢＭＳユーザの数が少ない場合、協調シグナリングが減らされ得ることであり、
５）一般性を失うことなく、セル縁端ユーザｍ−ｅ１、ｍ−ｅ２、ｍ−ｅ３、およびｍ−ｅ４だけが、この場合、考慮され、つまり、ターゲット・セクタ１−２とクラスタａの間の協調だけが考慮される。
【００４５】
この場合、ＧｏＢに基づく協調ビーム形成の詳細な手順は、以下のとおり説明される。すなわち、
ａ）最初に、共通コードブック、つまり、ビーム・グリッド（ＧｏＢ）がターゲット・セクタ１−２、およびクラスタａ内のセクタにおいて事前定義される。
ｂ）受信機において、すべてのセル縁端ＭＢＭＳユーザが、ターゲット・セクタ１−２、およびクラスタａの中のすべてのセクタに対応する測定値（例えば、長期ＳＩＮＲ）を同時に測定して、このユーザに関する最適なＰＭＩを獲得するようにする、つまり、この縁端ユーザにサービスを提供するのに最適であるセクタが、このユーザに関する測定を介して選択され、獲得されるようにする。このユーザは、同時に、その最適なＰＭＩをターゲット・セクタにフィードバックする。
ｃ）ターゲット・セクタ１−２において、前述したすべてのユーザのＰＭＩフィードバック値に基づき、セル縁端ＭＢＭＳユーザのすべてが複数のグループに分類され（この実施形態では、４名の縁端ユーザしか存在しないので、これら４名の縁端ユーザは、それぞれ、せいぜい４つの異なるグループに属する）、各グループ・ユーザは、同様のＰＭＩ測定特性を有し、例えば、同一のユーザ・グループに属するユーザの間のＰＭＩ差は、所定のしきい値１未満である。さらに、ユーザ分類が実行される際、異なるユーザ・グループ間のＰＭＩ差は、可能な限り大きく相対的に保たれなければならない（２つのユーザ・グループにそれぞれ属する任意の２名のユーザのＰＭＩ差は、所定のしきい値２より大きい）。最大ユーザ・グループ数は、以下のとおり協調セクタの数によって決定される。
ｄ）ユーザ分類の後、ターゲット・セクタ１−２は、セクタ・クラスタａの中の各セクタに協調要求シグナリングを送信し、協調要求シグナリングは、以下を備える。すなわち、
ｉ．いずれのユーザ・グループ（例えば、ｍ−ｅ１、ｍ−ｅ２、ｍ−ｅ３、およびｍ−ｅ５を含む第３のユーザ・グループ）がその協調セクタによってサービスを提供されるべきかを協調セクタに知らせること、
ｉｉ．同時に、最終協調中の使用されるＰＭＩ値を協調セクタに知らせることである。
ｅ）協調ネゴシエーションの成功の後、ターゲット・セクタ１−２が、伝送される必要がある共通データを、基地局間のＸ２インタフェースを介してセクタ・クラスタａの中の各協調セクタに転送する。
ｆ）最後に、すべての協調セクタが、ＧｏＢに基づくビーム形成動作を使用して、前述したセル縁端ＭＢＭＳのすべてにデータを伝送する。
【００４６】
図７は、本発明の実施形態による協調ビーム形成方法の流れ図を示す。図７に示されるとおり、ＭＢＭＳ固定ビーム・グリッドに基づく協調ビーム形成方法は、以下のステップ、すなわち、ユーザをセル中心ユーザ・グループとセル縁端ユーザ・グループにグループ化するステップ（Ｓ７０１）と、重ね合わせ符号化に基づいてセル中心ユーザ・グループ多重化を実行するステップと、セル縁端ユーザ・グループに関してＧｏＢに基づく協調ビーム形成動作を実行するステップ（Ｓ７０３）とを備える。
【００４７】
ステップＳ７０１で、ユーザ・グループが、測定レポートに基づいて、セル中心ユーザ・グループとセル縁端ユーザ・グループに分類され、例えば、この測定レポートは、基準信号受信電力ＲＳＲＰ、基準信号受信品質ＲＳＲＱであることが可能である。この測定レポートの中のＲＳＲＰ測定値またはＲＳＲＱ測定値が、所定のしきい値より低い場合、ユーザは、セル縁端ユーザ・グループに入れられ、そうではない場合、ユーザは、中心ユーザ・グループに入れられる。例えば、測定値は、ＳＩＮＲ測定値であることが可能である。
【００４８】
ステップＳ７０２で、重ね合わせ符号化が、電力割当て重ね合わせ、またはコンステレーション・ローテーション重ね合わせ、インタリーブ重ね合わせ、およびビットレート重ね合わせを使用して実行されることが可能である。共通重ね合わせ符号化は、通常、以下の４つの種類、すなわち、異なる電力を割り当てることによる重ね合わせ、コンステレーション・ローテーションによる重ね合わせ、異なるインタリーブ（例えば、ＩＤＭＡ）による重ね合わせ、異なるビットレートによる重ね合わせを有する。これらの重ね合わせ方法は、本発明に従ってステップＳ７０２ですべて適用されることが可能である。例えば、ステップＳ７０２で、セル中心ユーザ・グループが、同一の物理リソースを共有するように、重ね合わせ符号化に基づいてユニキャスト・サービス・ユーザと多重化されることが可能である。
【００４９】
ステップＳ７０３で、セル縁端ユーザ・グループの中のユーザが、ＰＭＩに応じて、異なるセクタ・クラスタにさらに分割され、同時に、セル・ターゲット・セクタ（それぞれ、同一のセクタ・クラスタの中にユーザを備える）に関して協調が実行される。
【００５０】
さらに、図８は、ＧｏＢに基づく協調ビーム形成動作の詳細なステップを示す。図８に示されるとおり、ＧｏＢに基づく協調ビーム形成のステップは、以下のサブステップ、すなわち、ビーム・クラスタを事前定義するサブステップ（Ｓ８０１）と、受信機において、いずれのセクタがセル縁端ユーザにサービスを提供するかを決定する、つまり、セル縁端ユーザにサービスを提供するターゲット・セクタを決定するサブステップ（Ｓ８０２）と、ターゲット・セクタのセクタ・クラスタに応じてターゲット・セクタの中のセル縁端ＭＢＭＳユーザのすべてを分類し、セクタ・クラスタに対応するセル縁端ＭＢＭＳユーザ・クラスを形成するサブステップ（Ｓ８０３）と、ユーザ分類の後、各セル縁端ＭＢＭＳユーザ・クラスに関して、セル縁端ＭＢＭＳユーザ・クラスの中のセル縁端ＭＢＭＳユーザのすべてをセットに分割し、各セル縁端ＭＢＭＳユーザ・セットは、同様のＰＭＩ測定値を有するサブステップ（Ｓ８０４）と、ターゲット・セクタが、セル縁端ＭＢＭＳユーザ・クラスに対応するセクタ・クラスタの中の各セクタに協調要求を送信し、協調要求は、いずれのセル縁端ＭＢＭＳユーザ・セットに、このセクタ・クラスタの中の１つのセクタが協調セクタとしてサービスを提供すべきかという情報を備えるサブステップ（Ｓ８０５）と、ターゲット・セクタが、協調ネゴシエーションの成功の後、伝送される必要がある共通データを各協調セクタに転送するサブステップ（Ｓ８０６）と、すべての協調セクタが、ＧｏＢに基づくビーム形成動作を使用して、このセル縁端ＭＢＭＳユーザ・クラスにデータを伝送するサブステップ（Ｓ８０７）とを備える。
【００５１】
ステップＳ８０１で、ビーム・クラスタを事前定義するプロセスが、ターゲット・セクタ、およびターゲット・セクタが位置するセクタ・クラスタの中のセクタにおける共通コードブックを事前定義することによって達せられる。
【００５２】
ステップＳ８０２で、セクタ・クラスタに対応するセル縁端ＭＢＭＳユーザ・クラスは、他のセクタ・クラスタと比べて、そのセクタ・クラスタにより近い。つまり、すべての縁端ＭＢＭＳユーザが、ターゲット・セクタ１−２、およびターゲット・セクタ１−２が位置しているセクタ・クラスタａの中のセクタのすべてに対応するＰＭＩ測定値（例えば、長期ＳＩＮＲ）を同時に測定して、そのユーザの最適なＰＭＩを獲得し、縁端ＭＢＭＳユーザが、同時に、その最適なＰＭＩをターゲット・セクタ１−２にフィードバックする。つまり、この縁端ユーザにサービスを提供するのに最適であるセクタが、縁端ＭＢＭＳユーザのユーザ測定を介して選択され、獲得される。
【００５３】
ステップＳ８０４で、前述したすべてのユーザのＰＭＩフィードバック値に基づいて、各グループ・ユーザが同様のＰＭＩ測定値を有するようにセル縁端ＭＢＭＳユーザのすべてがグループに分類される。ユーザ分類が実行される際、異なるユーザ・グループ間のＰＭＩ差は、可能な限り大きく相対的に保たれなければならない。その他、最大ユーザ・グループ数は、協調セクタの数によって決定される。
【００５４】
ステップＳ８０５で、協調要求は、いずれのユーザ・グループがその協調セクタによってサービスを提供されるべきかを協調セクタに知らせるサービス情報、および最終協調中の使用されるＰＭＩ値を協調セクタに知らせるＰＭＩ値適用の情報を備える。
【００５５】
ステップＳ８０６で、ターゲット・セクタが、伝送される必要がある共通データを、基地局間のＸ２インタフェースを介して各協調セクタに転送する。
【００５６】
図９は、本発明の実施形態による協調ビーム形成デバイス９００の詳細な構造を示す。また、協調ビーム形成デバイスは、以下の手段、すなわち、ビーム・クラスタを事前定義するための手段９０１と、いずれのセクタがセル縁端ユーザにサービスを提供するかを決定するための、つまり、セル縁端ユーザにサービスを提供するターゲット・セクタを決定するための、セクタ・サービスを決定するための手段９０２と、ターゲット・セクタの中のセル縁端ＭＢＭＳユーザのすべてを異なるセクタ・クラスタに分類して、各セクタ・クラスタの中のユーザが同様の、事前定義されたマトリックス・インデックスＰＭＩ測定を有するようにするための、つまり、ターゲット・セクタのセクタ・クラスタに応じてターゲット・セクタの中のセル縁端ＭＢＭＳユーザのすべてを分類して、セクタ・クラスタに対応するセル縁端ＭＢＭＳユーザ・クラスを形成するための、セクタ・クラスタを分類するための手段９０３と、セル縁端ＭＢＭＳユーザ・クラスの中のセル縁端ＭＢＭＳユーザのすべてをセットに分割するための、各セル縁端ＭＢＭＳユーザ・セットが、同様のＰＭＩ測定値を有する、セル縁端ＭＢＭＳユーザ・セットを分割するための手段９０４と、ターゲット・セクタが、セル縁端ＭＢＭＳユーザ・クラスに対応するセクタ・クラスタの中の各セクタに協調要求を送信し、この協調要求は、いずれのセル縁端ＭＢＭＳユーザ・セットに、このセクタ・クラスタの中の１つのセクタが協調セクタとしてサービスを提供すべきかという情報を備える、協調要求を送信するための手段９０５と、ターゲット・セクタが、協調ネゴシエーションの成功の後、伝送される必要がある共通データを各協調セクタに転送する、共通データを転送するための手段９０６と、すべての協調セクタが、ＧｏＢに基づくビーム形成動作を使用して、このセル縁端ＭＢＭＳユーザ・クラスにデータを伝送する、協調セクタのデータ伝送のための手段９０７も備える。
【００５７】
ビーム・クラスタを事前定義するための手段は、ターゲット・セクタ、およびターゲット・セクタが位置するセクタ・クラスタの中のセクタにおける共通コードブックを事前定義することによって、ビーム・クラスタを事前定義する。ターゲット・セクタのセクタ・クラスタを決定している間、セクタ・クラスタに対応するセル縁端ＭＢＭＳユーザ・クラスは、他のセクタ・クラスタと比べて、そのセクタ・クラスタにより近い。すべての縁端ＭＢＭＳユーザが、ターゲット・セクタ、およびターゲット・セクタのセクタ・クラスタの中のセクタのすべてに対応するＰＭＩ測定値を、セクタ・クラスタを分類するための手段を介して同時に測定して、そのＭＢＭＳユーザの最適なＰＭＩを獲得し、縁端ＭＢＭＳユーザが、その最適なＰＭＩをターゲット・セクタにフィードバックする。セクタ・クラスタを分類するための手段は、長期ＳＩＮＲ計算に基づいて、最適なＰＭＩを獲得する。協調要求を送信するための手段によって送信される協調要求シグナリングは、以下のコンテンツ、すなわち、最終協調中に使用されるＰＭＩ値を協調セクタに示すＰＭＩ値適用の情報を備える。ターゲット・セクタは、伝送される必要がある共通データを、基地局間のＸ２インタフェースを介して各協調セクタに転送する。
【００５８】
図１０は、ユーザをセル中心ユーザ・グループとセル縁端ユーザ・グループにグループ化するためのグループ化ユニット１００１と、重ね合わせ符号化に基づいてセル中心ユーザ・グループ多重化を実行するための、セル中心ユーザに関する処理ユニット１００２と、前述した協調ビーム形成デバイス１００３とを備える、本発明の実施形態による基地局１００を示す。
【００５９】
ネットワーク／協調ＭＩＭＯ機構は、セル縁端ユニキャスト・ユーザに関して３ＧＰＰ  ＬＴＥ−Ａにおいて定義されなければならないので、この場合、セル縁端ＭＢＭＳユーザに関するＧｏＢに基づく協調ビーム形成は、ネットワーク／協調ＭＩＭＯと比べて、以下の特性を有する。すなわち、
１）すべてのＭＢＭＳユーザ・グループは、共通の物理リソース上で同一のデータを受信するので、すべてのＭＢＭＳユーザｍ−ｅが純粋なセル縁端ユニキャスト・ユーザと見なされることが可能である。したがって、両種類の協調機構は、全く本質的な違いを有さない。
２）これに相応して、ネットワーク／協調ＭＩＭＯのために使用されるいくつかの協調機構が、協調ビーム形成動作に役立つ。例えば、協調セクタの間の物理リソース協調、協調のために使用される基準信号定義など。
３）しかし、協調ビーム形成は、それでも、いくつかの独特の特徴、例えば、ＰＭＩフィードバックに基づくユーザ・グループ化などを有する。本発明の実施形態による有益な効果は、以下のとおり要約される。ｉ）すべてのＭＢＭＳユーザが同一のリソースを共有する前のスキームとは異なり、例えば、サブフレーム・レベルに基づいて、異なるＭＢＭＳユーザ・グループが異なる物理リソース上にマップされる。したがって、異なるユーザ・グループ上に異なる動作が可能になり、大幅なパフォーマンス向上が予期される。ｉｉ）セル中心ユーザに関して、それらのユーザのより高いＳＩＮＲのため、重ね合わせ符号化が使用されることが可能であり、セル縁端ユーザ（すなわち、ｍ−ｅ）に関して、ネットワーク／協調ＭＩＭＯ機構、つまり、ＧｏＢに基づく協調ビーム形成が使用されることが可能である。ｉｉｉ）セル縁端ユニキャスト・ユーザに関して、このスキームをサポートするシグナリング・オーバーヘッドは、ネットワーク／協調ＭＩＭＯと同様である。
【００６０】
ＭＢＭＳパフォーマンスは、特に、ＩＭＴ−Ａのパフォーマンス要件において特定されているＩＭＴ−Ａに関して、特に強化される。多くの企業が、ＭＢＭＳパフォーマンスをどのように向上させるかを考慮している。ＳＣ  ＭＢＭＳに関する両方の既存のスキーム、つまり、開ループ送信ダイバーシティおよびマクシミン・ビーム形成と比べて、提案される強化されたアルゴリズムによって明白なパフォーマンス向上が得られるものの、もたらされるパフォーマンス向上は、それでも、限られている。本発明は、実施の見地から、より魅力的な特徴を有する。本発明の実施形態による改良されたＳＣ  ＭＢＭＳ技術が提案され、詳細なアルゴリズム・プログラムが分析され、ユーザ・グループ化、異なるユーザ・グループ化に関する異なる動作、および本方法の独特の特徴を備える。
【００６１】
前述の実施形態は、単に例示目的であり、本発明を限定することは意図していない。本発明は、本発明の範囲および趣旨を逸脱することなく、添付の特許請求の範囲によって限定される範囲内に含まれる変形および置換で変形され、置き換えられることが可能であることが、当業者には理解されよう。
【図１】
0005444374.tif 000002
【図２】
0005444374.tif 000003
【図３】
0005444374.tif 000004
【図４】
0005444374.tif 000005
【図５】
0005444374.tif 000006
【図６】
0005444374.tif 000007
【図７】
0005444374.tif 000008
【図８】
0005444374.tif 000009
【図９】
0005444374.tif 000010
【図１０】
0005444374.tif 000011